(57)【要約】【課題】床より高い位置にある清掃対象物にも、塵埃を舞い上げることなく、短時間で清掃することができる掃除具、その清掃具に用いられる吸液性シート及びその清掃具を用いた清掃方法を提供する。【解決手段】柄の一端側にはたき部を有し、他端側に把持部及び噴霧操作部を有し、柄又は把持部に液状物収容部を有する掃除具であって、該はたき部は短冊状又はひも状の吸液性シートからなり、該はたき部の近傍に液状物を噴霧する噴霧部を設け、該噴霧操作部によって、該液状物収容部に収容された液状物を液流路を介して噴霧部から噴霧する掃除具、その清掃具に用いられる吸液性シート及びその清掃具を用いた清掃方法である。【選択図】図１
2008206742.tif 000002
【特許請求の範囲】
【請求項１】
柄の一端側にはたき部を有し、他端側に把持部及び噴霧操作部を有し、柄又は把持部に液状物収容部を有する掃除具であって、該はたき部は短冊状又はひも状の吸液性シートからなり、該はたき部の近傍に液状物を噴霧する噴霧部を設け、該噴霧操作部によって、該液状物収容部に収容された液状物を液流路を介して噴霧部から噴霧する掃除具。
【請求項２】
前記吸液性シートが、ＪＩＳ  Ｌ  １９０７のバイレック法において、浸漬開始から２秒後の吸水高さが２５ｍｍ以上となるものである請求項１に記載の清掃具。
【請求項３】
前記吸液性シートが高分子吸水ポリマー含有シートである請求項１又は２に記載の清掃具。
【請求項４】
請求項１〜３のいずれかに記載の清掃具に用いられる吸液性シート。
【請求項５】
請求項１〜３のいずれかに記載の清掃具を用いて、清掃対象物に液状物を噴霧し、噴霧された液状物と交じり合った塵埃に吸液性シートを接触させて塵埃を捕集する清掃方法。
【発明の詳細な説明】
【技術分野】
【０００１】
本発明は清掃具、吸液性シート及び清掃方法に関する。
【背景技術】
【０００２】
家具、電化製品、照明器具、観葉植物等の物品に付いた塵埃を取るための清掃具としては、はたきや雑巾が用いられているが、より短時間で多くの塵埃を捕集できる簡便な掃除具が求められている。このような清掃具としては、特許文献１〜３が提案されている。
【０００３】
特許文献１には、平面状の拭取り部及び短冊状のはたき部を備えた掃除具が開示されている。しかしながら、乾式の清掃具では、繊維長の短い綿ボコリや粉状の塵埃の捕集能力は低く、十分に捕集することは困難であり、綿ボコリ等の塵埃は清掃動作で発生した風圧等で空中に舞いやすく、清掃効率が悪い。
特許文献２には、清掃用シートが取り付けられた清掃ヘッドの近傍に液を吐出する、湿式床面清掃具が開示されている。しかしながら、平坦な清掃用シートを用いる清掃具では、家具、電化製品、観葉植物等の凹凸面を有する清掃対象物への追随性が悪く、清掃する際にシートを押し付けても窪みまで清掃用シートが届きにくく、時間と手間を要するという問題がある。
また、特許文献３には、家庭用清掃シートとしても利用可能な吸収性シートが開示されているが、具体的な使用法に関する記載はない。
【０００４】
【特許文献１】特開平９−３８００９号公報
【特許文献２】特開２００５−３４２２５９号公報
【特許文献３】特開平８−２４６３９５号公報
【発明の開示】
【発明が解決しようとする課題】
【０００５】
本発明は、床より高い位置にある清掃対象物に対して、塵埃を舞い上げることなく、短時間で清掃することができる掃除具、その清掃具に用いられる吸液性シート及びその清掃具を用いた清掃方法を提供することを課題とする。
【課題を解決するための手段】
【０００６】
本発明は、柄の一端側にはたき部を有し、他端側に把持部及び噴霧操作部を有し、柄又は把持部に液状物収容部を有する掃除具であって、該はたき部は短冊状又はひも状の吸液性シートからなり、該はたき部の近傍に液状物を噴霧する噴霧部を設け、該噴霧操作部によって、該液状物収容部に収容された液状物を液流路を介して噴霧部から噴霧する掃除具、その清掃具に用いられる吸液性シート及びその清掃具を用いた清掃方法を提供する。
【発明の効果】
【０００７】
本発明の掃除具、その清掃具に用いられる吸液性シート及びその清掃具を用いた清掃方法によれば、特に床より高い位置にある綿ボコリ等の塵埃を、清掃動作で発生した風圧等で空中に舞い上がらせることなく、しかも効率よく清掃を行うことができる。
【発明を実施するための最良の形態】
【０００８】
本発明に係る掃除具は、柄の一端側にはたき部を有し、他端側に把持部及び噴霧操作部を有し、柄又は把持部に液状物収容部を有する掃除具であって、該はたき部は短冊状又はひも状の吸液性シートからなり、該はたき部の近傍に液状物を噴霧する噴霧部を設け、該噴霧操作部によって、該液状物収容部に収容された液状物を液流路を介して噴霧部から噴霧するように構成されている。以下、図面を参照しつつ本発明を詳細に説明する。
【０００９】
図１は、本発明の掃除具１の一態様を示す全体図である。図１において、２は柄であり、柄２の一端側にははたき部３及び噴霧部４が設けられている。さらに柄２の他端側には把持部５、液状物収容部６及び噴霧操作部７が設けられており、この液状物収容部６内には液状物８が収容されている。そして、柄２に沿って噴霧部４と液状物収容部６は液流路９で接続されており、噴霧操作部７に加える操作によって、液状物８は液流路９を介して噴霧部４より噴霧される。
【００１０】
柄２は各部を接続する部材であって、一本以上の棒状又は筒状等の部材から構成され、合成樹脂（例えばポリプロピレン、ＡＢＳ樹脂等）、金属（例えばアルミ、合金製等）により形成することができる。
はたき部３は、複数の短冊状又はひも状の吸液性シート１０等から構成され、柄２の一端側にて保持部１１に固定される。
はたき部３は、独立した複数の短冊状又はひも状の吸液性シート１０をそのまま用いて構成することもできるが、複数の吸液性シート１０同士を接合し、又はそれを支持シート等に接合して構成し、保持部１１への装着や取り外しを容易にすることもできる。また、例えば、方形又は円形の吸液性シート１０に複数の切り込みを並行に入れて、又は吸液性シート１０の中心部に向けて放射状に入れて、根元が連結した複数の短冊状の吸液性シート１０を得て、これを１つ以上用いて、必要に応じて、重ねたり、折り畳んだり、束ねたりして、はたき部３とすることができる。
【００１１】
噴霧部４は、液状物８を霧状にして噴霧可能にする部材であり、はたき部３の近傍に設けられる。はたき部３の吸液性を維持させる観点から、噴霧部４は、噴霧時に液状物８がはたき部３にかからず、かつ清掃対象物に向けて噴霧しやすい位置及び向きに設けられる。例えば、柄２の先端に噴霧部４を設け、噴霧部４よりも把持部５の側にはたき部３を設けたり、図１に示す如く、噴霧部４は斜め下方に向けて配置し、はたき部３は上方に向けて保持することにより、噴霧する際に液状物８がはたき部３にかからないように工夫される。
【００１２】
把持部５は、柄２において、はたき部３の他端側に設けられるが、はたき部３の反対端に設けると、操作範囲が広くなり好ましい。把持部５は、握りやすい形状のものを採用すれば、清掃作業における操作性が向上し、例えばグリップ形状、円筒形等が好適である。
把持部５は、その内部に空洞を設けて管状とし、そのまま把持部とすることもできるし、その空洞に柄２を挿入して取り付けたり、上記形状の取っ手を柄２に接合して構成することもできる。
【００１３】
液状物収容部６は液状物８を収容する部分であり、例えば、ボトル形状等の液体容器を柄２の一部に形成したり、脱着自在に取り付けたり、図１に示す態様のように把持部５等の内部に空間を設けることで構成する。液状物収容部６は、柄２又は把持部５の任意の場所に設けることができるが、清掃を行う際の操作性等の観点から、柄２に設ける場合には噴霧部４の他端側に設けることが好ましく、把持部５に設けることがより好ましい。
【００１４】
噴霧操作部７は、本発明の掃除具を用いて清掃を行いながら、簡便な噴霧操作を可能とするもので、操作性の観点から、はたき部３の他端側に設けることが好ましく、把持部５又はその近傍に設けることがより好ましい。噴霧操作部７は、例えば圧送ポンプのレバーやトリガー、電動ポンプのスイッチ等で構成したり、または液状物収容部６として可撓性素材からなる液体容器を設け、この液状物収容部６にスクイズ（押圧して絞る）操作を加えることで噴霧操作を可能とすることもできる。
図１に示す態様では、液圧送ポンプ部１４と、これを操作するための噴霧操作部７としてレバーが設けられている。
【００１５】
液状物８は、塵埃に噴霧することで、塵埃が舞い上がることを防ぎ、かつ塵埃を効率よく取り去ることができる液体であればよく、水道水でもよい。
液流路９は、液状物収容部６と噴霧部４とを連通し、液状物８を漏出させることなく移送するものであり、柄２の外側に長手方向に沿ってチューブを設けたり、柄２に中空の筒状部を備え、この筒状部の内部にチューブ設けたり（図１）、柄２の中空部が流路となるものであってもよい。
【００１６】
吸液性シート１０は、液体を吸収できるシートであればよいが、吸液性シート１０を短冊状やひも状とすることで、清掃対象物の凹凸面への追随性が良好となり、凹凸面に付着している塵埃を捕集しやすいし、吸液表面積を大きくすることができる。
本願発明の掃除具を用いた清掃方法は、塵埃の捕集を行う前に液状物８を噴霧することによって塵埃が舞い上がることを防ぐものであるから、吸水速度が高い吸液性シート１０を用いると、清掃対象物に付着している液状物８と塵埃を同時に効率よく取り去ることができ、清掃対象物の表面にこれらが残留せず好ましい。さらに、吸液性シート１０が液状物８を吸収できなくなると塵埃の捕集が困難となることから、吸液性シート１０は、吸水量が多いものが好ましい。
【００１７】
本発明に用いられる吸液性シート１０は、例えば、ティッシュ、キッチンペーパー、高分子吸水ポリマー含有シート等であり、下記条件（Ａ）を満たすシートが好ましく、下記条件（Ａ）及び（Ｂ）を満たすシートがさらに好ましく、下記条件（Ａ）ないし（Ｃ）を満たす高分子吸水ポリマー含有シートが最も好ましい。
（Ａ）ＪＩＳ  Ｌ  １９０７のバイレック法において、浸漬開始２秒後の吸水高さが２５ｍｍ以上であるシート。
（Ｂ）吸水量を下記の測定法で測定した際に、測定手順の４回目に測定された試験片の吸水量が、浸漬前の試験片の重量の３倍以上であるシート。
（Ｃ）吸水量を下記の測定法で測定した際に、測定手順の４回目に測定された試験片の吸水量が、浸漬前の試験片の重量の９倍以上であるシート。
【００１８】
＜吸水量の測定法＞
前記高分子吸水ポリマー含有シートの長さ２００ｍｍの試験片を作製し、その浸漬前の重量を測定し、ＪＩＳ  Ｌ  １９０７のバイレック法と同様に、水平棒上に試験片を両面テープで固定し、水平棒を降下させた際に試験片の下端１０ｍｍ程度が水道水に浸漬するように調整してから、以下の手順を４回繰り返し行う。ただし、４回目に試験片の重量を測定した時点で、計測を終了する。
ａ）水平棒を降下させて、試験片の下端を水道水に１０秒間浸漬する。
ｂ）試験片を水面から引き上げ、５分間静置する。
ｃ）試験片の重量を測定し、５分間静置する。
【００１９】
また、高分子吸水ポリマー含有シートを作製する方法としては、例えば、１枚のキッチンペーパー等の全面にスプレーのり等の接着剤を塗布し、そこに高分子吸水ポリマーを散布し、この上に別のキッチンペーパー等を積層して作製する方法、２つの紙層の間に高分子吸水ポリマーを散布し、エンボス加工又はキルト加工を行う方法、抄紙工程内においてパルプ繊維に付着させたり交絡させたり、又は乾燥前の紙上に高吸収性ポリマーを散布した後、乾燥する方法等が挙げられる。
【００２０】
本発明で吸液性シート１０に含有される高分子吸水ポリマーは、自重の２０倍以上の液体を吸収・保持できるものが好ましい。高分子吸水ポリマーの形状と大きさは、吸液性シート１０に保持できるものであれば用いることができ、球状、塊状、ブドウ状、粉末状又は繊維状であり、好ましくは大きさが１〜１０００μｍの粒子状のものである。
そのような高分子吸水ポリマーは、例えば、デンプンや架橋カルボキシルメチル化セルロース、アクリル酸又はアクリル酸アルカリ金属塩の重合体又は共重合体、ポリアクリル酸及びその塩並びにポリアクリル酸塩グラフト重合体を挙げることができる。ポリアクリル酸塩としては、ナトリウム塩を好ましく用いることができる。また、アクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収ポリマーの性能を低下させない範囲で共重合した共重合体も好ましく使用し得る。このような高分子吸水ポリマーとしては、例えばアクリル酸系架橋体である、花王株式会社製、商品名「ＥＱ−５」が挙げられる。
【００２１】
はたき部３に用いられる吸液性シート１０の数は、吸液性シート１０の形状及び大きさ、保持部１１の形状及び大きさ等によって適宜選択され、例えば１０〜１０００枚、好ましくは３０〜５００枚、更に好ましくは５０〜２００枚である。
また、吸液性シート１０を短冊状にして用いる場合には、短冊の幅は、製造上の観点から２ｍｍ以上が好ましく、凹凸面への追随性と操作性の観点から５０ｍｍ以下が好ましく、２０ｍｍ以下がより好ましい。短冊の長さも製造上の観点から１０〜３００ｍｍが好ましく、１０〜２００ｍｍがより好ましい。なお、短冊の長さが１０〜２０ｍｍのものは、細かい凹凸部分を清掃する際の操作性の点では好ましい。短冊状にした吸液性シート１０は、そのままねじることでひも状とすることもできる。
【００２２】
保持部１１は、はたき部３を柄２に保持する部分であって、はたき部３の構成に応じて適切な構造として、吸液性シート１０を脱着可能に保持することができる。
例えば、はたき部３が独立した複数の短冊状吸液性シート１０で構成される場合には、保持部１１は複数の角柱状又は円柱状の弾性部材とし、これにより複数の短冊状吸液性シート１０を挟持して保持したり、保持部１１が可撓性板状部にスリットが設けられたものである場合には、吸液性シート１０の一部をこのスリットに挟み込んで保持することができる。
また、複数の吸液性シート１０からなるはたき部３、又は複数の吸液性シート１０を支持シート等に接合してなるはたき部３を、保持部１１に設けた差込口に挿入してはたき部３を保持したり、はたき部３に接着部を設け、これを保持部１１に設けた接合部に取り付けることもできる。
【００２３】
本願発明の掃除具を用いて清掃するにあたっては、はたき部３表面の乾燥状態に関わらず、まず清掃対象物に液状物８を適宜噴霧する（図２（ａ））。清掃作業を行う前に液状物８を噴霧することで、清掃対象物の表面に付着している塵埃１３と噴霧された液状物８が交じりあうため、清掃動作で発生する風圧等で塵埃１３が空気中に舞い上がることを防ぐことができる。そして本願発明の清掃具１の短冊状又はひも状の吸液性シート１０からなるはたき部３が、清掃対象物の表面に触れることで（図２（ｂ））、清掃対象物の表面に付着している液状物８がはたき部３に吸収されると同時に、液状物８と交じりあっている塵埃１３がはたき部３に吸着されて捕集される（図２（ｃ））。
【００２４】
図１に示す態様の掃除具を使用する際には、把持部５を持ったままレバーを引き絞る操作を行うことで、清掃対象物に向けて噴霧部４より液状物８が噴霧され、清掃対象物に付着している塵埃と液状物８を、はたき部３を用いて拭い去ることで簡便に清掃を行うことができる。
【００２５】
図３は本発明の清掃具の別態様を示す全体図である。図３に示す態様では、噴霧部４は斜め下方に向けて配置され、はたき部３は下方に向けて保持されているが、噴霧部４をはたき部３よりやや前方に配置することで、液状物８を噴霧する際にはたき部３にかかることを防いでいる。ボトル形状の液状物収容部６は可撓性素材からなり、弁機構を有し、内部に液状物８を収容する。この液状物収容部６は柄２の把持部５近傍に設けられ、固定具１２によって柄２に固定されている。また、液流路９は柄２に平行に配置され、液状物収容部６と噴霧部４を連通する。
図３において、把持部５を持ち液状物収容部６にスクイズ（押し圧して絞る）操作を加えると、噴霧部４より液状物８が噴霧され、はたき部３を用いて、清掃対象物に付着している塵埃と液状物８を拭い去ることで簡便に清掃を行うことができる。
【実施例】
【００２６】
下記の吸液性シートの吸水速度及び吸水量を測定した。その後、本願発明の清掃具に吸液性シートを装着して、観葉植物の清掃を行った。
【００２７】
＜吸液性シート＞
・ティッシュ：  コアレックス株式会社製、商品名「フェアリーブライティア」
・キッチンペーパー：  大王製紙株式会社製、商品名「エリエール超吸収キッチンタオル」
・綿モップ：  市販品を食器用洗剤で洗浄・乾燥したもの
・高分子吸水ポリマー含有シート：  キッチンペーパー１枚の全面に約１ｇ（乾燥前重量）の合成ゴム系スプレーのり（住友スリーエム株式会社製、商品名「３Ｍスプレーのり５５」）を吹きつけ、そこに高分子吸水ポリマー（花王株式会社製、商品名「ＥＱ−５」）約１ｇを均一に分散し、さらに別のキッチンペーパーを積層して貼り合わせたもの
【００２８】
＜吸水速度の測定＞
日本工業規格のＪＩＳ  Ｌ  １９０７のバイレック法に準じて測定した。つまり、水平棒上に試験片をピンで固定した後、水平棒を降下させて、試験片の下端が水道水に浸漬するように調整して、そのまま放置し、浸漬開始後２秒後、１０秒後及び２０秒後の吸水高さを測定した。測定結果を表１に示す。
【００２９】
【表１】
2008206742.tif 000003
【００３０】
表１に示す結果から明らかなように、ティッシュ、キッチンペーパー及び高分子吸水ポリマー含有シートが２５ｍｍ以上の吸水高さを示し、吸水速度が速く、本願発明に用いる吸液性シート１０としては好適である。
【００３１】
＜吸水量の測定＞
ティッシュ、キッチンペーパー、綿モップ及び高分子吸水ポリマー含有シートを用いて、それぞれ長さ２００ｍｍの試験片を作製した。なお、試験片の幅は各試験片の重量が同等になるように調整し、それぞれの浸漬前の重量を測定した。
前述と同様に水平棒上に試験片を両面テープで固定し、水平棒を降下させた際に試験片の下端１０ｍｍ程度が水道水に浸漬するように調整してから、以下の手順を４回繰り返し行った。ただし、４回目に試験片の重量を測定した時点で、計測を終了した。
ａ）水平棒を降下させて、試験片の下端を水道水に１０秒間浸漬し、
ｂ）試験片を水面から引き上げ、５分間静置し、
ｃ）試験片の重量を測定し、５分間静置した。
各吸水量測定結果を表２に示す。
【００３２】
【表２】
2008206742.tif 000004
【００３３】
表２に示す結果から明らかなように、ティッシュ、キッチンペーパー及び高分子吸水ポリマー含有シートの４回目に測定した試験片の吸水量は、浸漬前の試験片の重量の３倍以上であり、吸水量の点で優れている。また、高分子吸水ポリマー含有シートの４回目に測定した試験片の吸水量は、浸漬前の試験片の重量の９倍以上であって格段に優れており、特に優れた吸液性シートである。
【００３４】
実施例１
吸液性シートとしてティッシュを幅１０ｍｍ、長さ１９０ｍｍの短冊状に切断してから束ねたものを用いて観葉植物（パキラ）の葉（５〜８ｃｍ×１５〜２０ｃｍを５０枚）の清掃で検証した。ほこりの蓄積した観葉植物の葉に、水をトリガースプレーヤー（吉野製作所製、商品名「ＹＴ９７トリガー」）で噴霧したのち吸液性シートを保持部に取着けた清掃具で拭き取った。
また、同じ条件で、ほこりの蓄積した観葉植物の葉１枚あたりトリガースプレーヤーで１回（約０．６ｍＬ）水道水を噴霧したのち上記清掃具で拭き取る作業を吸水性がなくなるまで繰り返して、吸水容量を測定した。
＜結果＞
清掃時間：  ４５秒
清掃効果：  葉の上のほこりが殆どなくなり葉につやが出た。清掃作業中に塵埃が空気中に舞い上がらなかった。
吸水容量：  平均約８０枚のふき取りを繰り返すまで吸液性が持続しほこりを捕集したが、それ以上液を吸収できなくなりほこりも捕集できなくなった。
【００３５】
比較例１
１枚ずつ雑巾（幅１８ｃｍ  長さ３１ｃｍ  木綿製）で拭き取った以外は実施例１と同様にして清掃時間と清掃効果を測定した結果、清掃作業中に塵埃が空気中に舞い上がらず、葉の上のほこりがなくなり葉につやが出たが、清掃時間は１４０秒かかってしまった。
【００３６】
比較例２
水をスプレーしない以外は実施例１と同様にして清掃時間と清掃効果を測定した結果、清掃時間は３５秒であったが、汚れが葉に残り、葉にはつやがでず、清掃作業中に塵埃が空気中に舞い上がった。
【００３７】
実施例２
実施例１において、ティッシュの代わりに高分子吸水ポリマー含有シートを用いた以外は、実施例１と同様にして吸水容量のみを測定した結果、平均約４００枚のふき取りを繰り返すまで吸液性が持続しほこりを捕集できた。
【図面の簡単な説明】
【００３８】
【図１】本発明の清掃具の一態様を示す全体図である。
【図２】本発明の清掃具を用いて塵埃に液状物を噴霧し（ａ）、液状物を噴霧した塵埃に吸液性シートを接触させ（ｂ）、液状物と交じりあった塵埃を捕集する（ｃ）一連の清掃方法を示す図である。
【図３】本発明の清掃具の別態様を示す全体図である。
【符号の説明】
【００３９】
１：清掃具
２：柄
３：はたき部
４：噴霧部
５：把持部
６：液状物収容部
７：噴霧操作部
８：液状物
９：液流路
１０：吸液性シート
１１：保持部
１２：固定具
１３：塵埃
１４：液圧送ポンプ
【図１】
2008206742.tif 000005
【図２】
2008206742.tif 000006
【図３】
2008206742.tif 000007